(57)【要約】【課題】構造が簡単で重量も軽く、車椅子の方や弱者にも安全で優しく、且つ室内に風が吹き込むことのない冷暖房効率の高い扉開閉装置を提供することを目的とする。【解決手段】建築物の出入口にほぼ同じ幅の室外側開口部と室内側開口部とを備え、室外側開口部に室外側扉を備え、室内側開口部に室内側扉を備え、この室外側扉と室内側扉の幅は、それぞれ開口部とほぼ同じ幅であり、室外側開口部と室内側開口部との間を通行方向に沿った中央部で仕切る中央部仕切壁を備え、室外側扉と室内側扉とが中央部仕切壁の中心垂直軸を中心にし、その横断面において点対称位置関係を維持して、左右に往復移動する扉開閉駆動手段を備えた。【選択図】図１
2005350971.tif 000002
【特許請求の範囲】
【請求項１】
建築物の出入口にほぼ同じ幅の室外側開口部と室内側開口部とを備え、室外側開口部に室外側扉を備え、室内側開口部に室内側扉を備え、この室外側扉と室内側扉の幅は、それぞれ開口部とほぼ同じ幅であり、室外側開口部と室内側開口部との間を通行方向に沿った中央部で仕切る中央部仕切壁を備え、室外側扉と室内側扉とが中央部仕切壁の中心垂直軸を中心にし、その横断面において点対称位置関係を維持して、左右に往復移動する扉開閉駆動手段を備えたことを特徴とする扉開閉装置。
【発明の詳細な説明】
【技術分野】
【０００１】
本発明は、建築物の出入口に設ける扉開閉装置に関し、特に出入口開口部の室外側と室内側とに、それぞれ開閉部を形成した扉開閉装置に係る。
【背景技術】
【０００２】
従来のこの種の（自動）扉開閉装置としては、回転式ドアや二重式自動扉等があるが、前者は構造が複雑で重量が大きくなり、車椅子の方や障害のある方、弱者には不便で危険性もあった。
後者は出入者が多い所では室内と外部との空気遮断が難しく、風が室内に吹き込むこともあり、冷暖房の効率が悪くなる欠点があった。
特開２００２−１３８７６７号公報には、通行しやすい自動回転ドア装置に関する技術を開示するが、この場合にも床が動くので通行には神経をつかい、特に歩行が不安定な者には大変危険である。
【０００３】
【特許文献１】特許公開２００２−１３８７６７号公報
【発明の開示】
【発明が解決しようとする課題】
【０００４】
本発明は上記実情に鑑み、構造が簡単で重量も軽く、車椅子の方や弱者にも安全で優しく、且つ室内に風が吹き込むことのない冷暖房効率の高い扉開閉装置を提供することを目的とする。
【課題を解決するための手段】
【０００５】
本発明は上記目的を達成するため、建築物の出入口にほぼ同じ幅の室外側開口部と室内側開口部とを備え、室外側開口部に室外側扉を備え、室内側開口部に室内側扉を備え、この室外側扉と室内側扉の幅は、それぞれ開口部とほぼ同じ幅であり、室外側開口部と室内側開口部との間を通行方向に沿った中央部で仕切る中央部仕切壁を備え、室外側扉と室内側扉とが中央部仕切壁の中心垂直軸を中心にし、その横断面において点対称位置関係を維持して、左右に往復移動する扉開閉駆動手段を備えたことを特徴とする。
ここで、室外側扉と室内側扉がその横断面において点対称位置関係を維持して左右に往復移動するとは、両扉が中央部仕切壁の中心垂直軸を中心に１８０°回転すると重なる関係をいい、室外側扉が例えば、左に移動した距離だけ室内側扉が逆に右に同じ距離だけ移動することになる。
【０００６】
上記に述べた手段には大別して二通りの型式がある。第１の形式は、室外側扉と室内側扉が矩形（４角）の平面状の引戸であり、直線上を往復移動するものである。
第２の型式は、室外側扉と室内側扉が円筒面状に彎曲した引戸であり、中央部仕切壁の幅を直径とした円弧を描くように往復移動するものである。
両型式ともに扉を支持する手段には、いわゆる吊り戸式のものと、扉の下に直接戸車を設けるものとが考えられる。
また、室外側開口部と室内側開口部との間に中央部仕切壁を設けたことにより、左右２箇所に通行口が出来ることになる。
【０００７】
室外側と室内側の両扉の往復移動範囲は、建築物の出入口の構造により異なるが、少なくとも扉の左右の端部が中央部仕切壁から離れない範囲が出入口の空気を遮断するのに効果的である。
【０００８】
例えば、図３及び図８に示すように、室外側扉が室外側から向かって左側へ移動して、中央部仕切壁によって仕切られた右側通路を開放し、左側通路を塞いでいる状態では、室内側扉は移動範囲の右端へ移動して左側通路を開放し、右側通路を塞いでいる状態になる。
逆に、図４及び図９に示すように、室外側扉が右側へ移動して、左側通路を開放し、右側通路を塞いでいる状態では、室内側扉は移動範囲の左端へ移動して右側通路を開放し、左側通路を塞いでいる状態になる。
【０００９】
また図２及び図７に示すように、各扉が移動する中間点では、両扉ともに左右の通路を塞いで閉鎖した状態になる。従って、左右の各通路において、両扉が同時に開放状態になることはない。
即ち、常に室外側扉と中央部仕切壁、及び室内側扉が連続した壁として働くため、外部と室内の空気は常に遮断された状態にある。
【００１０】
中央部仕切壁に要求されるものは、左側通路と右側通路の空気を遮断することであり、言い換えれば外部と室内の空気を遮断することである。従って材質等を限定する必要はなく、壁や板、ガラス等のように何でも良い。
更に、中央部仕切壁の一部、あるいは全部に、空気を遮断できる状態で引戸や扉を設けても良く、その時は室外側扉と室内側扉が図３、図４、図８、図９に示した状態で停止している場合には、非常口や通用口としても利用することができる。
【００１１】
両扉が横断面において常に点対称位置を保つように連動させる手段の一つとして、滑車とベルトを使用する方法がある。
【００１２】
先に述べた第１の型式では、図５に示すようにベルト４を張る際両扉がともに中間位置にある場合において、室外側扉と室内側扉に平行なベルト部分の長さが扉の幅以上になるように滑車６を設ける。室外側扉及び室内側扉の幅の中央の上部に設けた連結ブラケット７と、それぞれに対するベルト部分とを平行を保つように連結する。そしてモーターで駆動滑車５の回転方向や速度を制御し、ベルト４を介して各扉を往復させる構造である。ベルトの他、ワイヤーやチェーンを使う方法もある。
別の手段として、室外側扉及び室内側扉の上部にラックを設け、両ラックの間に奇数個の歯車を組合わせてそれをモーターで駆動させる方法も考えられる。
【００１３】
第２の型式のものでは、中央部仕切壁の中心を通る垂線を軸として回動可能な回動枠を中央部仕切壁の上方、または天井部に設け、それに円筒面状に彎曲した引戸室外側扉と室内側扉を対称位置に取り付ける。更に回動枠にそれと同心円の滑車を設け、モーターで駆動滑車の回転方向や速度を制御してベルトを介し、各扉を円弧を描くように往復させる構造である。ベルトの他、ワイヤーやチェーンを使う方法もある。
別の手段として、滑車の代わりに歯車を設けて駆動歯車を組合わせ、それをモーターで制御する方法もある。
【発明の効果】
【００１４】
以上説明したように、この発明の扉開閉装置によれば、構造が簡単で軽量になり、特に、床が動かなくてよいので、車椅子の方や弱者にも安全で優しく、また常に外部と室内の空気を遮断した状態で扉を開閉するので、室内に風が吹き込むこともなく、冷暖房効率を高くすることができる。
また、構造が簡単で、軽量なので、必ずしも動力駆動による自動扉にしなくても手で開閉操作できる。
【発明を実施するための最良の形態】
【００１５】
本発明はいろいろな型態が考えられるが、図１〜図５に示す例は第１の型式のもので、平面状の二個の吊り下げ式引戸に対し、モーターを使って滑車とベルトを介して往復開閉させるものである。
なお、詳しい説明は省略するが、モーターは扉位置センサーと人感知センサーによって制御されるものである。
【００１６】
図１は斜視図で、図２〜図４は扉の動きを示す。
図５に示すように両扉がともに中間位置にある場合において、通路の天井部に、室外側扉と室内側扉に平行なベルト部分の長さが扉の幅以上になるように、４個の滑車６と１個の駆動滑車５を設けてベルト４を張る。そして室外側扉及び室内側扉の幅の中央の上部に設けた連結ブラケット７と、それぞれに対するベルト部分とを平行を保つように連結する。
【００１７】
ここでモーターによって駆動滑車を時計方向に回転させると、ベルト全体も時計方向に回転するため、連結されている室外側扉１は左方向へ移動し、室内側扉２は右方向へ移動して行く。室外側扉が移動範囲の左端へ移動し、室内側扉が移動範囲の右端まで移動して図３の状態になった時、扉位置センサーが作動してモーターが停止する。
【００１８】
この状態で、室外へ出る人が左側通路に入るか、または室内に入る人が右側通路に入った時は人感知センサーが作動し、モーターによって駆動滑車を逆に回転させる。そして室外側扉１は右方向へ、室内側扉２は左方向へ移動して行く。
途中、図２に示す状態を経過して、更に図４に示すように室外側扉が移動範囲の右端へ移動し、室内側扉が移動範囲の左端へ移動した時、扉位置センサーが作動してモーターが停止する。これで左側通路の人は外へ出ることができ、右側通路の人は室内へ入ることができるのである。
【００１９】
今度は逆に、室外へ出る人が右側通路に入るか、または室内に入る人が左側通路に入った時は人感知センサーが作動し、モーターによって駆動滑車を時計方向に回転させる。そして室外側扉は左方向へ、室内側扉は右方向へ移動して行く。
途中、図２に示す状態を経過して、更に図３に示すように室外側扉が移動範囲の左端へ移動し、室内側扉が移動範囲の右端へ移動した時、扉位置センサーが作動してモーターが停止する。これで右側通路の人は外へ出ることができ、左側通路の人は室内へ入ることができるのである。
このように、常に左右いずれかの通路を通って人の出入りが可能であり、その間も常に室内と外部の空気は遮断されているのである。
【００２０】
図６〜図１０は、第２の型式のもので、図６は斜視図である。
この場合の室外側扉１と室内側扉２は直接回動枠８と一体となって円弧を描くように往復することになる。それ以外、作動原理や通路での人の出入りは図１〜図５に示すものとほぼ同じなので、説明は省略する。
以上述べてきた手段では、長い物の出入口通過は困難であるが、扉の両端が中央部仕切壁から外れるように、扉の移動範囲を広くしてやれば可能となる。但しその場合、室内と室外の空気の遮断はできなくなる。
【図面の簡単な説明】
【００２１】
【図１】矩形形状（四角い箱形）扉開閉装置の構成例を示す斜視図である。
【図２】矩形形状（四角い箱形）扉開閉装置の引戸式扉が各々中央にある状態を示す。
【図３】矩形形状（四角い箱形）扉開閉装置の外側引戸式扉が外側から見て左方向に移動した状態を示す。
【図４】矩形形状（四角い箱形）扉開閉装置の外側引戸式扉が外側から見て右方向に移動した状態を示す。
【図５】矩形形状（四角い箱形）自動扉開閉装置引戸式扉の駆動構成例模式図を示す。
【図６】円形の扉開閉装置の構成例斜視図を示す。
【図７】円形の扉開閉装置の引戸式扉が各々中央にある閉鎖状態を示す。
【図８】円形の扉開閉装置の外側引戸式扉が外側から見て左方向に移動した状態を示す。
【図９】円形の扉開閉装置の外側引戸式扉が外側から見て右方向に移動した状態を示す。
【図１０】円形の自動扉開閉装置の引戸式扉の駆動構成例模式図を示す。
【符号の説明】
【００２２】
１    室外側扉
２    室内側扉
３    中央部仕切壁
４    ベルト
５    駆動滑車
６    滑車
７    連結ブラケット
８    回動枠
【図１】
2005350971.tif 000003
【図２】
2005350971.tif 000004
【図３】
2005350971.tif 000005
【図４】
2005350971.tif 000006
【図５】
2005350971.tif 000007
【図６】
2005350971.tif 000008
【図７】
2005350971.tif 000009
【図８】
2005350971.tif 000010
【図９】
2005350971.tif 000011
【図１０】
2005350971.tif 000012